(57)【要約】【課題】ハンガーを後ろから挿入したビスで背もたれの背面に固定している椅子において、ビスを補助カバーで隠して美感のアップを図ると共に、補助カバーの脱落も阻止する。【解決手段】ハンガー１１は支柱９を備えており、支柱９が金具８を介して背フレーム５にビス２０で固定されている。金具８とビス２０の頭とは、補助カバー１２を左右と後ろから囲う補助カバー１２で覆われている。補助カバー１２は天板１２ａを備えており、支柱９には支柱９に嵌まる穴２２が空いている。補助カバー１２はハンガー１１の固定前に予め支柱９に嵌め込まれており、ハンガー１１を固定してから下にずらすことで所定の高さと姿勢にセットされる。【選択図】図７
2014094213.tif 000002
【特許請求の範囲】
【請求項１】
背もたれの背面部にハンガー又は他の補助部材を後ろからねじ込んだねじで固定している構成であって、前記ハンガー又は他の補助部材は上下に長い支柱を備えていてこの支柱が前記背もたれの背面部に固定されており、前記支柱に、当該支柱を囲いつつ前記ねじの頭を隠す補助カバーが装着されている、
椅子。
【請求項２】
前記補助カバーは前記補助部材の支柱に下方から嵌め込まれる構造であり、前記補助部材を前記背もたれに取り付ける前に前記補助カバーを前記補助部材の支柱に予め嵌め込んで上にずらしておき、前記支柱をねじで固定してから前記補助カバーを下にずらすことで前記ねじの頭が隠れるように設定されている、
請求項１に記載した椅子。
【請求項３】
前記背もたれは強度メンバーとしての背フレームとその背面を覆う裏カバーとを有しており、前記背フレームの上端部の背面に金具がねじで固定されていてこの金具に前記ハンガーの支柱が固定されており、このため前記裏カバーには前記金具を後ろ向きに露出させる透かし穴が開いている一方、
前記補助カバーの上部の前端を、前記裏カバーにおける前記透かし穴の上部開口縁に後ろから当接させている、
請求項２に記載した椅子。
【請求項４】
背もたれの背面部に固定される金具と、前記金具の背面にねじで後ろから固定されるハンガー又は他の補助部材と、前記補助部材を固定するねじの頭を隠す補助カバーとを有しており、
前記ハンガーは上下に長い支柱とその上端に設けた左右横長の水平部とで正面視Ｔ型の形態を成している一方、前記補助カバーは、前記補助部材の支柱に下方から嵌まり込む形態であり、前記補助カバーで前記金具も覆われるようになっている、
椅子用補助部材装置。
【発明の詳細な説明】
【技術分野】
【０００１】
本件特許は、ハンガー等の補助部材を備えた椅子及びこれに使用するハンガー装置等の補助部材装置に関するものである。なお、補助装置は品揃えの一環として不可的に取り付けられるもので、オプション品と呼ぶことも可能である。
【背景技術】
【０００２】
椅子の背もたれにオプション品としてハンガーを取り付けることは広く行われており、その一例として、ハンガーをねじ（ビス）で背もたれの背面に固定することが行われている。このねじ止め方式は高い締結強度を確保できる利点があるが、ねじの頭が後ろに露出して美感を損なうという問題がある。この点に関して特許文献１には、ハンガーのうちねじの頭が位置する部分を凹所に形成して、この凹所に平板状のキャップを装着してねじの頭を隠すことが開示されている。
【０００３】
特許文献１において、キャップには左右２本の足部が前向きに突出しており、足部をハンガーに設けた穴に弾性に抗して嵌め込むことで、キャップを抜けないように保持している。
【先行技術文献】
【特許文献】
【０００４】
【特許文献１】特開平２０１２−６１１５８号公報
【発明の概要】
【発明が解決しようとする課題】
【０００５】
特許文献１ではねじの頭は露出しないため美感には優れているが、キャップは足部の弾性力を利用して取り付けているだけであるため、加工誤差によって足部の嵌め込みが甘いと、例えばキャップに物が触れることで外れ易くなる可能性がある。
【０００６】
本願発明は、かかる現状を改善すべく成されたものである。
【課題を解決するための手段】
【０００７】
本願発明は補助部材付き椅子と補助部材装置とを含んでおり、椅子は請求項１〜３で特定している。このうち請求項１の椅子は、背もたれの背面部にハンガー又は他の補助部材を後ろからねじ込んだねじで固定している構成であって、前記ハンガー又は他の補助部材は上下に長い支柱を備えていてこの支柱が前記背もたれの背面部に固定されており、前記支柱に、当該支柱を囲いつつ前記ねじの頭を隠す補助カバーが装着されている。
【０００８】
本願発明の補助部材としては、ハンガーの他にヘッドレストやショルダーレスト、或いは物品収納用カゴなどがある。勿論、他の機能の物品（例えば表示パネル）を取り付けることも可能である。
【０００９】
請求項２の発明は請求項１を具体化したもので、この発明では、前記補助カバーは前記補助部材の支柱に下方から嵌め込まれる構造であり、前記補助部材を前記背もたれに取り付ける前に前記補助カバーを前記補助部材の支柱に予め嵌め込んで上にずらしておき、前記支柱をねじで固定してから前記補助カバーを下にずらすことで前記ねじの頭が隠れるように設定されている。
【００１０】
請求項３の発明は請求項２を具体化したものであり、この発明では、前記背もたれは強度メンバーとしての背フレームとその背面を覆う裏カバーとを有しており、前記背フレームの上端部の背面に金具がねじで固定されていてこの金具に前記ハンガーの支柱が固定されており、このため前記裏カバーには前記金具を後ろ向きに露出させる透かし穴が開いている一方、前記補助カバーの上部の前端を、前記裏カバーにおける前記透かし穴の上部開口縁に後ろから当接させている。
【００１１】
ハンガー装置は請求項４で特定指定している。すなわち請求項４のハンガー装置は、背もたれの背面部に固定される金具と、前記金具の背面にねじで後ろから固定されるハンガー又は他の補助部材と、前記補助部材を固定するねじの頭を隠す補助カバーとを有しており、前記ハンガーは上下に長い支柱とその上端に設けた左右横長の水平部とで正面視Ｔ型の形態を成している一方、前記補助カバーは、前記補助部材の支柱に下方から嵌まり込む形態であり、前記補助カバーで前記金具も覆われるようになっている。
【発明の効果】
【００１２】
本願発明では、補助カバーはハンガー等の補助部材の支柱を囲っているため、後ろ向きの外力が作用しても簡単に外れるようなことはない。また、補助カバー自体が補助部材装置の一部のような外観を呈するため、「隠している」というニュアンスが無くて美感にも優れていると云える。
【００１３】
請求項２のように構成すると、ハンガー等の補助部材を背もたれに固定した後は補助カバーは落下不能に保持されるため、高い取り付け強度を確保できて特に好適である。また、請求項３の構成を採用すると、金具を介在させることで取り付け構造の自由性を向上できると共に、金具も補助カバーで隠れるため、金具を使用することによる美感の悪化の問題は生じない。すなわち、美感の問題を招来することなく金具を使用して、締結強度のアップ等を図ることができる。
【００１４】
また、請求項３の発明では、補助カバーの上端が裏カバーの開口縁に当接しているため、補助カバーと裏カバーとが一体化したかのような状態になって、特に好適である。この場合、実施形態のように補助カバーの上端部を裏カバーにと突っ張らせると、特段のストッパー手段を講じることなく補助カバーの高さを規制できるため、構造を簡単化できる利点がある。
【図面の簡単な説明】
【００１５】
【図１】第１実施形態に係る椅子を示す図で、（Ａ）は前から見た全体斜視図，（Ｂ）は後ろから見た全体斜視図である。
【図２】（Ａ）は図１の椅子の大まかな分離斜視図、（Ｂ）は背もたれの支持機構を示す斜視図である。
【図３】要部の分離斜視図で、（Ａ）は前から見たもの、（Ｂ）は後ろから見たものである。
【図４】（Ａ）は背フレームを省略した状態での斜視図、（Ｂ）（Ｃ）はハンガーは金具と補助カバーとの関係を示す斜視図である。
【図５】（Ａ）（Ｂ）とも要部の分離斜視図である。
【図６】補助カバーの斜視図である。
【図７】背もたれを図４（Ａ）の VII-VII視線で見た断面図である。
【図８】（Ａ）は背もたれを図４（Ａ）の VIIIA-VIIIA視線で見た断面図、（Ｂ）は補助カバーと裏カバーとの関係を示す破断斜視図である。
【図９】第２実施形態を示す図で、（Ａ）は要部斜視図、（Ｂ）は分離斜視図である。
【図１０】各分図とも補助カバーの斜視図である。
【図１１】（Ａ）（Ｂ）は補助カバーとハンガー及び金具との関係を示す斜視図、（Ｃ）はハンガーと補助カバーとの関係を示す斜視図である。
【図１２】（Ａ）はハンガー装置を斜め下方から見た斜視図、（Ｂ）は金具の一部を仮想線で示した底面図である。
【発明を実施するための形態】
【００１６】
(1).第１実施形態
次に、本願発明の実施形態を図面に基づいて説明する。本実施形態はオフィスで事務用等に多用されている回転椅子に適用しており、椅子は、キャスタ脚装置１と座２と背もたれ３とを有しており、脚装置１の上端には上向きに開口したベース４を固定している。
【００１７】
背もたれ３は、前後に開口した背フレーム５とその背面を覆う裏カバー６とを有しており、背フレーム５にはメッシュ材５′を張っている。裏カバー６は、周方向に飛び飛びで設けた係合突起６′を背フレーム５に設けた係合穴に嵌め込むことで、背フレーム５に取り付けられている。背フレーム５は、支持アーム４ａを介してベース４に後傾動自在に連結されている。
【００１８】
背フレーム５は、左右のサイドメンバー５ａと、左右サイドメンバー５ａの上端間に繋がった左右長手のアッパメンバー５ｂと、左右サイドメンバー５ａの下端間に傾斜部５ｃを介して繋がったロアメンバー５ｄとを有している。裏カバー６は背フレーム５と相似形で前後に開口しており、このため、裏カバー６もサイドメンバー６ａとアッパメンバー６ｂと傾斜部６ｃとロアメンバー６ｄとを有している。また、例えば図３から理解できるように、裏カバー６の内周は前向きに突出した内壁６ｅで構成されており、このため裏カバー６は前向き開口した溝型の形態を成している。
【００１９】
背フレーム５のアッパメンバー６ａには、補助装置の一例としてのハンガー装置７を固定している。この点を次に説明する。ハンガー装置７は、例えば図３に示すように、背フレーム５のアッパメンバー６ａに後ろから固定される金具８と、上下長手の支柱９の上端に左右横長の水平部（服掛け部）１０を設けた正面視Ｔ型のハンガー（ハンガー本体）１１と、ハンガー１１の支柱９に嵌め入れた補助カバー１２とを有している。
【００２０】
裏カバー６のアッパメンバー６ａには、金具８を露出させるための横長小判形の透かし穴１３が空いている。  なお、背フレーム５のアッパメンバー５ｂは上に行くほど前後幅が小さくなる略三角形の断面形状であり、かつ、前面は上に行くほど後ろにずれるように緩い曲面を持って後傾している。
【００２１】
金具８は上向きの前片８ａと後片８ｂとを底部で連結した側面視上向き開口コ字型の形態であり、前片８ａが左右２本のビス１４で背フレーム５のアッパメンバー６ａに固定されている。例えば図５（Ｂ）に示すように、背フレーム５のアッパメンバー６ａには、金具８の前片８ａが重なる穴付きの支持ボス部５ｂ′が形成されている。図８（Ａ）のとおり、ビス１４はナット１５にねじ込まれており、ナット１５は、背フレーム５のアッパメンバー６ａに設けた前向き開口の座繰り穴１６に嵌め込まれて、回転不能に保持されている。
【００２２】
また、図７のとおり、金具８の前片８ａには位置決め穴１７が空いており、この位置止め穴１７に、背フレーム５のアッパメンバー６ａに設けた位置決めと突起１８が嵌まっている。この場合、位置決め穴１７と位置決め突起１８とを角形（四角形）とすることにより、金具８を回転不能に保持している。このため取り付け作業の手間を軽減できるが、この点は本実施形態の利点の一つである。
【００２３】
ハンガー１１の支柱９には、手前と下方に開口した縦溝１９が形成されており、溝１９の左右開口縁は内向きに突出したリップ１９ａになっている。従って、縦溝１９は蟻溝になっている。このハンガー１１は高さ調節式に兼用できるものであり、従って、本実施形態は、高さ調節式のハンガー１１を流用できるという特徴も有している。
【００２４】
図４（Ｂ）から理解できるように、金具８の後片８ｂを支柱９の縦溝１９に嵌め込んで、支柱９に貫通した１本のビス２０を後片８ｂにねじ込んでいるが、後片８ｂは縦溝１９にきっちり嵌まっているため、１本のビス２０で締結したものでありながら左右に倒れ不能に保持されている。後片８ｂの雌ねじ穴２１はバーリング部に形成している。
【００２５】
補助カバー１２は樹脂製であり、ハンガー１１の支柱９を左右と後ろから囲う側壁と、各側壁の上端に一体に設けた天板１２ａとを有しており、天板１２ａにハンガー１１の支柱９が嵌まる穴２２を空けている。従って、図７に一点鎖線鎖線で示すように、ハンガー１１の取り付けに当たっては、金具８に固定する前に補助カバー１２を支柱９に嵌め込んでから設定高さよりも上にずらしておき、次いで、ハンガー１１を金具８にビス２０で固定してから下方にずらすことで、金具８とビス２０の頭とが隠れる。かつ、補助カバー１２は落下不能に保持されている。
【００２６】
補助カバー１２における天板１２ａには、支柱９の縦溝に入り込む庇部２３を設けている。また、補助カバー１２の内部には、支柱９の左右外側に位置した内向きリブ２４を設けており、内向きリブ２４の下端に金具８の底部に嵌まる切欠き部２４ａを形成しており、これにより、補助カバー１２の高さ位置を規制していると共に、補助カバー１２の下部を左右ずれ不能に保持している。
【００２７】
他方、例えば図６に示すように、補助カバー１２における穴２２の開口縁のうち左右両端部に、ハンガー１１の支柱９を前後から挟む前リブ片２５と後リブ片２６とを形成している。これら前後のリブ片２５，２６でハンガー１１の支柱９を弾性的に挟んでいる。このため、補助カバー１２はガタ付きのない状態に保持されている。
【００２８】
そして、図８から理解できるように、補助カバー１２における天板１２ａの前端に下向きリップ２７を形成し、下向きリップ２７を裏カバー６におけるアッパメンバー６ｂの上端縁（透かし穴１３の開口縁１３ａ）に後ろから弾性的に当接させている。すなわち、補助カバー１２は、当該補助カバー１２の弾性変形と裏カバー６におけるアッパメンバー５ｂの弾性変形とを利用して、裏カバー６のアッパメンバー５ｂに後ろから弾性的に当接している。
【００２９】
従って、補助カバー１２はその上端が裏カバー６に突っ張った状態になっており、このため、補助カバー１２はある程度の力をかけないと上にずらすことはできない。従って、補助カバー１２はガタ付きのない状態に保持されている。裏カバー６におけるアッパメンバー５ｂの上端縁には、補助カバー１２の下向きリップ２７の誘い込みのため、手前に行くに従って高くなったガイド面２８を形成している。従って、透かし穴１３の開口縁１３′にもガイド面２８が形成されている。
【００３０】
図７及び図８（Ａ）に示すように、補助カバー１２の左右側壁の下端の前端は、裏カバー６にけるアッパメンバー６ｂの下端に当接している。補助カバー１２を所定高さにセットした状態では、補助カバー１２の下端の前端が金具８におけるアッパメンバー５ｂの上端縁より手間に位置しており、従って、図７の姿勢で補助カバー１２を一点鎖線の状態から下向きにスライドさせると、補助カバー１２の下部の前端が裏カバー６におけるアッパメンバー５ｂの上端につかえるが、補助カバー１２は、図７の姿勢から半時計回りに若干回転させた姿勢で下向き動させることで、裏カバー６のアッパメンバー５ｂにつかえることなく下向きスライドさせることができる。
【００３１】
そして、内向きリブ１４の切欠き部２４ａが金具８の底部に当接すると、補助カバー１２は所定の姿勢に保持されて、補助カバー１２は所定の高さ位置で所定の姿勢にガタつきのない状態に保持される。なお、ハンガー装置７を取り付けない状態では、裏カバー６における裏カバー６の透かし穴１３はキャップで塞がれている。そこで、図７，８に示すように、透かし穴１３の開口縁１３′はキャップが嵌まる段部２９を形成している。
【００３２】
なお、背面カバー５の透かし穴１３の横幅は金具８の横幅で規定される一方、補助カバー１２の横幅はハンガー１１の支柱９の横幅で規定されるが、金具８の左右横幅も支柱９の左右横幅で規定される。そして、補助カバー１２は支柱９と金具８とを隠す機能を保持しつつできるだけ小さいのが好ましいため、例えば図４（Ａ）から理解できるように、その横幅は透かし穴１３の横幅よりは僅かに大きい程度になっている。従って、補助カバー１２は左右全長の大部分が透かし穴１３の開口縁に後ろから当接するが、透かし穴１３の開口縁１３′は他の部位に比べて弾性変形し易くなっているため、補助カバー１２の嵌め込みを容易に行える。
【００３３】
(2).第２実施形態
次に、図９〜１２に示す第２実施形態を説明する。例えば図９に示すように、本実施形態では、ハンガー１１の支柱９の下端は補助カバー１２の下端に概ね揃えられており、従って、支柱９は補助カバー１２の下方にはみ出ていない。従って、ハンガー装置７はスッキリしている。他方、例えば図１１（Ａ）のとおり、金具８の後片８ｂはハンガー１１における支柱９の縦溝１９の上端まで延びており、このためハンガー１１の強度と安定性が格段に向上している。
【００３４】
本実施形態では、図１０や図１１（Ａ）（Ｃ）に示すように、補助カバー１２の天板１２ａのうち穴２２の手前側の部位に板状の垂下片３０を下向き突設し、垂下片３０の後面（背面）に、金具８における後片８ｂの前面に当接又は密接する上下長手のリブ３０ａを設けている（前向きの補強リブ３０ｂも油受けている。）。他方、補助カバー１２の裏部内面には、ハンガー１１における支柱９の背面に当接又は密接する左右一対の上下長手のリアリブ３１を設けている。
【００３５】
従って、補助カバー１２は、金具８の後片９ｂとハンガー１１の支柱９とで前後ずれ不能に保持されている。本実施形態の補助カバー１２も左右一対の内向きリブ２４を備えており、この内向きリブ２４により、補助カバー１２は左右方向のガタ付き（ブレ）が阻止されている。
【００３６】
補助カバー１２の内向き片２４は第１実施形態と同様に金具８の底板に当接しているか、本実施形態では、例えば図１２に示すように、補助カバー１２には、金具８の底部の下面に左右両側から下方から引っ掛かり左右一対の係合爪３２を設けている。
【００３７】
従って、補助カバー１２はこの係合爪３２によって左右のガタ付きが阻止されると共に、上向きに抜け不能に保持されている。図１０に示すように、係合爪３２は下向きに突出した舌状になっており、このため、補助カバー１２を下方に押し込むと左右の係合爪３２が互いの間隔を広げるようにいったん弾性変形し、補助カバー１２を押し込み切ると金具８の底部に係合する。これにより、補助カバー１２は上下動不能に状態に保持されると共に、害１実施形態と同様に上端縁は背面カバー５における透かし穴１３の開口縁に後ろから突っ張っているため、全体としてガタ付きのない状態に保持されている。
【００３８】
以上、本願発明の実施形態を説明したが、本願発明は上記の実施形態の他にも様々に具体化できる。例えばハンガーの支柱には縦溝を設ける必要はなく、単なる棒状であってもよい。支柱の断面形状も、横長長方形や円形、楕円形などの様々の形態を採用できる。
【００３９】
また、本願発明は、背フレームをシェル状に形成した背もたれにも適用できる。背フレームは前後開口方式やシェル状には限らず、上下に長い背支柱であってもよい。補助カバーはハンガーの支柱に下方から嵌め込む方式を採用することも可能である。また、補助カバーは下方から挿入してねじで金具や背フレームに固定することも可能である（この場合、ねじは通常の状態で視認できないので美感の問題はない。）。
【産業上の利用可能性】
【００４０】
本願発明は、実際に具体化できる。従って、産業上利用できる。
【符号の説明】
【００４１】
３  背もたれ
５  背フレーム
５ｂ  背フレームのアッパメンバー
６  裏カバー
６ａ  裏カバーのアッパメンバー
７  ハンガー装置
８  金具
９  ハンガーの支柱
１０  ハンガーの水平部（服掛け部）
１１  ハンガー装置
１２  補助カバー
１３  透かし穴
１４  金具締結用のビス
１５  ナット
２０  ハンガー締結用のビス（ねじ）
２４  内向きリブ
２５，２６  リブ片
【図１】
2014094213.tif 000003
【図２】
2014094213.tif 000004
【図３】
2014094213.tif 000005
【図４】
2014094213.tif 000006
【図５】
2014094213.tif 000007
【図６】
2014094213.tif 000008
【図７】
2014094213.tif 000009
【図８】
2014094213.tif 000010
【図９】
2014094213.tif 000011
【図１０】
2014094213.tif 000012
【図１１】
2014094213.tif 000013
【図１２】
2014094213.tif 000014